(57)【特許請求の範囲】
【請求項１】
商品陳列台等の支持面に載置して、ひな段状の商品陳列面を形成する商品陳列用補助具であって、
平面視ほぼ正方形の正方形ブロックと、該正方形ブロックを縦に２分割した形状の長方形ブロックとの２種類のブロック群からなり、これらを適宜組み合わせることにより、ひな段型陳列台を形成し得るようにし、前記正方形ブロックの群が、上面に、陳列商品の落下防止用の凹溝を１辺に沿って設けたものと、隣接する２辺に沿って設けたものとの２種類の正方形ブロックを有しており、かつ前記長方形ブロックの群が、上面に、陳列商品の落下防止用の凹溝を短辺の１辺に沿って設けたものと、隣接する２辺に沿って設けたものとの２種類の長方形ブロックを有していることを特徴とする商品陳列用補助具。
【請求項２】
商品陳列台等の支持面に載置して、ひな段状の商品陳列面を形成する商品陳列用補助具であって、
平面視ほぼ正方形の正方形ブロックと、該正方形ブロックを縦に２分割した形状の長方形ブロックとの２種類のブロック群からなり、これらを適宜組み合わせることにより、ひな段型陳列台を形成し得るようにし、前記正方形ブロックの群が、一側面が外側に向かって下向き傾斜する正方形ブロックと、隣接する２側面が外側に向かって下向き傾斜する正方形ブロックとの２種類の正方形ブロックを有し、かつ前記長方形ブロックの群が、短辺側の一側面が外側に向かって下向き傾斜する長方形ブロックと、隣接する２側面が外側に向かって下向き傾斜する長方形ブロックとの２種類の長方形ブロックを有していることを特徴とする商品陳列用補助具。
【請求項３】
支持面上に、任意の数の正方形ブロックと長方形ブロックとを、前後左右に互いに密接させて並べ、その上に、順次少ない数の正方形ブロックと長方形ブロックとを、前後左右に互いに密接させて並べることにより、ひな段状の商品陳列面を形成したことを特徴とする請求項１または２に記載の商品陳列用補助具を用いた商品陳列装置。
【発明の詳細な説明】
【技術分野】
【０００１】
本発明は、商店、スーパーマーケット、百貨店等において、商品陳列台上に商品を陳列するのに使用する商品陳列用補助具、およびそれを用いた商品陳列装置に関する。
【背景技術】
【０００２】
商品陳列台を使用した商品陳列では、顧客が多種多様の商品を容易に見得るように、またボリューム感を感ずるように、商品に対応して色々な陳列方法が採られている。例えば、商品陳列台の水平な陳列面(商品支持面)上に仕切りを設け、該陳列面上に仕切りごとに商品を並べたり、または陳列面を傾斜させて商品を並べたり、あるいは陳列面にひな段を設けて該ひな段ごとに商品を並べたりする等の陳列方法が採られている。
【０００３】
しかし、多種多様の商品の、頻繁に起こる陳列変更に対応できる商品陳列台をそれぞれ用意しておくことは、費用の面および保管スペースの面で困難である。そこで、同じ１台の商品陳列台を変化できるようにしておき、例えば商品陳列台の陳列面を水平にし、その水平にした陳列面に商品を陳列したり、陳列面を傾斜させ、その傾斜した陳列面に商品を陳列したり、あるいは陳列面の上に着脱自在な商品陳列用補助具を載置してひな段を形成し、このひな段上に商品を陳列したりすることができるようにした商品陳列台が従来から知られている(例えば、特許文献１参照)。
【０００４】
また、陳列面の上に、大きさの異なる類似形をした複数のブロック片をひな段状に積み重ねて商品陳列台を形成し、該商品陳列台の上に、商品をひな段状に陳列するようにした方法も従来から知られている(例えば、特許文献２参照)。
【特許文献１】特許第３４５９０５９号公報(図８参照)
【特許文献２】特開２００３−２４５１７６号公報
【発明の開示】
【発明が解決しようとする課題】
【０００５】
特許文献１に記載されている商品陳列用補助具は、ひな段状の商品陳列台を形成している商品陳列面が、水平面とこの水平面に隣接する垂直面とを連続させた形状で作られている。しかし、多種多様の商品の中には、商品の表面が球面となっているもの、商品の長さが水平面よりも若干長いもの、外部から押されるのを嫌うもの等がある。
【０００６】
商品の表面が球面となっているものでは、陳列したときに垂直面との間に隙間が作られるので、見栄えを悪くし、また陳列密度も低く、陳列効率が悪い。
【０００７】
商品の長さが水平面よりも若干長いものでは、商品を陳列したときに、水平面よりも前側に突き出した形になるので、見栄えを悪くし、また陳列密度も低く、陳列効率が悪い。
【０００８】
外部から押されるのを嫌うものでは、そのまま陳列面に押し当てられると、傷んだりする場合があるので、商品の周りにクッション材を設けて保護する等の対策が必要で、取り扱いが面倒になる。
【０００９】
特許文献２に記載されている商品陳列用補助具は、商品陳列台の陳列面上に、大きさの異なる類似形をした複数のブロック片をひな段状に積み重ねて商品陳列台を形成するようにしている。しかし、各ブロック片の大きさがそれぞれ異なるので、組み合わせがしづらく苦労し、特に奥行き方向の調整等、商品陳列台の形状変更がしづらいという問題がある。
【００１０】
また、一般に、商品陳列台は、室内・室外を問わず、また炎天下や厳寒の中、さらに雨天の中等、あらゆる環境の中でも使用されることが多い。したがって、これらの環境に耐得ることが必要となるが、特許文献１および特許文献２のいずれにも、これらの対処法については全く記載されていない。
【００１１】
本発明は、上述のような従来の課題を解決するためになされたものであって、商品に適した商品陳列面を確保し、かつ、商品を傷めずに、見栄えも良く、また密度を高めてより多くの商品を陳列することができるとともに、広範囲の環境で使用することができるようにした商品陳列用補助具、およびそれを用いた商品陳列装置を提供することを目的としている。
【課題を解決するための手段】
【００１２】
本発明によると、上記課題は、次のようにして解決される。
（１）商品陳列台等の支持面に載置して、ひな段状の商品陳列面を形成する商品陳列用補助具であって、平面視ほぼ正方形の正方形ブロックと、該正方形ブロックを縦に２分割した形状の長方形ブロックとの２種類のブロック群からなり、これらを適宜組み合わせることにより、ひな段型陳列台を形成し得るようにし、前記正方形ブロックの群が、上面に、陳列商品の落下防止用の凹溝を１辺に沿って設けたものと、隣接する２辺に沿って設けたものとの２種類の正方形ブロックを有しており、かつ前記長方形ブロックの群が、上面に、陳列商品の落下防止用の凹溝を短辺の１辺に沿って設けたものと、隣接する２辺に沿って設けたものとの２種類の長方形ブロックを有するものとする。
【００１３】
（２）商品陳列台等の支持面に載置して、ひな段状の商品陳列面を形成する商品陳列用補助具であって、平面視ほぼ正方形の正方形ブロックと、該正方形ブロックを縦に２分割した形状の長方形ブロックとの２種類のブロック群からなり、これらを適宜組み合わせることにより、ひな段型陳列台を形成し得るようにし、前記正方形ブロックの群が、一側面が外側に向かって下向き傾斜する正方形ブロックと、隣接する２側面が外側に向かって下向き傾斜する正方形ブロックとの２種類の正方形ブロックを有し、かつ前記長方形ブロックの群が、短辺側の一側面が外側に向かって下向き傾斜する長方形ブロックと、隣接する２側面が外側に向かって下向き傾斜する長方形ブロックとの２種類の長方形ブロックを有するものとする。
【００１４】
（３）上記(１)または(２)項において、支持面上に、任意の数の正方形ブロックと長方形ブロックとを、前後左右に互いに密接させて並べ、その上に、順次少ない数の正方形ブロックと長方形ブロックとを、前後左右に互いに密接させて並べることにより、ひな段状の商品陳列面を形成する。
【発明の効果】
【００１５】
請求項１および２記載の発明によると、正方形ブロックと、該正方形ブロックを縦に２分割した形状の長方形ブロックとの２種類のブロックを適宜組み合わせると、商品支持面上に、商品の陳列のバリエーションに応じた奥行き、高さ、形状等を有するひな段状の商品陳列面を簡単に作ることができる。これにより、顧客にボリューム感を与え、かつ、商品を容易に見得るようにして配列することができ、陳列効果が向上し、購買意欲を高めることができる。また、商品の陳列のバリエーションに関わりなく、同じ商品陳列用補助具を使用することができるので、費用の面および保管スペースの面でも効果が得られる。
【００１６】
また、請求項１記載の発明によると、正方形ブロックと長方形ブロックの、各上面に設けた凹溝により、商品が移動しずらくなり、商品の転落が防げる。
【００１７】
請求項２記載の発明によると、各ブロックの一側面が外側に向かって下向き傾斜する形状になっているので、各ブロックを組み合わせて陳列台を作ったときに、外側面が外側に向かって下向き傾斜してなる陳列台にすることができ、安定した、見栄えの良い陳列台を簡単に形成することができる。
【００１８】
請求項３記載の発明によると、正方形ブロックと長方形ブロックとを使用して商品陳列面ひな段状とすることにより、顧客にボリュー感を与え、また商品を容易に見得るようにして配列することができるので、陳列効果が向上し、購買意欲を高めることができる。
【発明を実施するための最良の形態】
【００１９】
以下、本発明の実施形態を、図面に基づいて説明する。
図１〜図３は、本発明の商品陳列用補助具を適用する商品陳列台の一例を示すもので、立方形の台枠(１)の前部上面には、前板(２)が立設され、それ以外の上面には、平面形が台枠(１)と同形等大の陳列板(３)が配設されている。陳列板(３)の前端は蝶番(４)により台枠(１)に蝶着され、蝶番(４)を支点として、後端側が上下方向に回動でき、陳列板(３)の全体を、図１および図２に示す水平状態から、図３に示す後上向き傾斜状態に切り換えできるようになっている。
【００２０】
台枠(１)と陳列板(３)との間には、陳列板(３)が後上向き傾斜状態とされたときに、その傾斜状態を保持しておくための支持杆(５)が設けられている。支持杆(５)の後端は枢軸(６)をもって、台枠(１)に回動可能に枢支され、枢軸(６)を支点として遊端側が上下方向に回動可能になっている。そして、陳列板(３)を傾斜状態に回動させて、陳列板(３)側の３個の係合溝(８)の中の１個の係合溝(８)に支持杆(５)の遊端部(７)を選択的に係合させると、係合溝(８)に対応した傾斜角度で、図３に示すように陳列板(３)を後上向き傾斜状態で保持することができる。
【００２１】
図４は、図１〜図３に示した商品陳列台の陳列板(３)上に設置されて、商品をひな段状に並べて陳列し得るようにした本発明に係る商品陳列用補助具(16)を示す。
【００２２】
図４において、商品陳列用補助具(16)は、複数種類のブロックよりなり、これらを適宜組み合わせて、任意のひな段状をした商品陳列台を形成するものである。
【００２３】
そのブロックは、平面視ほぼ正方形をした板状の正方形ブロック(17a)(17b)からなるブロック群と、正方形ブロック(17a)(17b)を縦に２分割して平面視ほぼ長方形をした板状の長方形ブロック(18a)(18b)(18c)(18d)からなるブロック群とにより構成されている。その各ブロック(17a)〜(18d)は、発泡性を有する合成樹脂材を、成形型内で発泡させて、所定の形状に成形されたものであり、一面を商品陳列面(19)とし、その裏面(20)を、商品陳列面(19)と平行としてある。なお、発泡性合成樹脂材としては、例えばポリオレフィン発泡体が好適である。このポリオレフィン発泡体は、耐水性と耐候性とに優れ、かつ十分な弾性を有している。
【００２４】
正方形ブロック(17a)は、商品陳列面(19)側に、隣接する２辺に沿って落下防止用の凹溝(21)を連続して設け、また凹溝(21)を設けている辺に沿う側面(22)を外側に向かって下向きに傾斜する傾斜面とし、断面がほぼ台形となるようにして形成されている。
【００２５】
正方形ブロック(17b)は、商品陳列面(19)側に、１辺に沿って落下防止用の凹溝(21)を設け、また凹溝(21)を設けている辺に沿う側面(22)を外側に向かって下向きに傾斜する傾斜面とし、断面がほぼ台形となるようにして形成されている。
【００２６】
長方形ブロック(18a)は、商品陳列面(19)側に、長辺に沿って落下防止用の凹溝(21)を設け、また凹溝(21)を設けている長辺に沿う側面(22)を外側に向かって下向きに傾斜する傾斜面とし、断面がほぼ台形となるようにして形成されている。
【００２７】
長方形ブロック(18b)は、商品陳列面(19)側に、短辺に沿って落下防止用の凹溝(21)を設け、また凹溝(21)を設けている短辺に沿う側面(22)を外側に向かって下向きに傾斜する傾斜面とし、断面がほぼ台形となるようにして形成されている。
長方形ブロック(18c)(18d)は、互いに左右対称形に作られており、商品陳列面(19)側に、短辺と長辺とに沿って落下防止用の凹溝(21)を連続して設け、また凹溝(21)を設けている各辺に沿う側面(22)を外側に向かって下向きに傾斜する傾斜面とし、断面がほぼ台形となるようにして形成されている。
【００２８】
なお、正方形ブロック(17a)(17b)に設けた凹溝(21)と傾斜側面(22)、および、長方形ブロック(18a)〜(18d)に設けた凹溝(21)と傾斜側面(22)は互いに対応しており、これらを適宜組み合わせて平面的に並べると、凹溝(21)と傾斜側面(22)はそれぞれのブロック同志で互いに連続するように設定されている。
【００２９】
図５は、商品陳列補助具(16)の使用例を示す図である。次に、図５を用いて上記構成とした商品陳列用補助具(16)の使用方法について説明する。
【００３０】
先ず商品陳列台を用意し、台枠(１)に対する陳列板(３)の傾きを水平とする。続いて、陳列板(３)の上に、商品陳列面(19)が上で、裏面(20)が下を向いた状態にして、正方形ブロック(17a)(17b)と、長方形ブロック(18a)〜(18d)とを適宜組み合わせて平面的に並べ、続いて、その上に、正方形ブロック(17a)(17b)と長方形ブロック(18a)〜(18d)を平面的に適宜組み合わせたものを積み重ねて行くことにより、ひな段状をした商品陳列補助具(16)が作られる。
【００３１】
図６は、このようにしてひな段状の商品陳列台を形成した商品陳列補助具(16)の一実施例を示すもので、図７はその組み合わせ手順を示す。
【００３２】
図６に示す商品陳列台は、３段形にしたもので、図７に示すように、１段目には、左右２個の正方形ブロック(17a)(17a)の間に、２個の正方形ブロック(17b)(17b)を配置し、かつ、左右の正方形ブロック(17a)(17a)の各後側に、それぞれ正方形ブロック(17b)を並べている。２段目には、左右２個の正方形ブロック(17a)(17a)の間に、１個の正方形ブロック(17b)を配置、かつ左右の正方形ブロック(17a)(17a)の後側に、それぞれ長方形ブロック(18b)を並べている。３段目には、２個の正方形ブロック(17a)(17a)を突き合わせて並べている。
【００３３】
そして、各段の後部を互いに揃え、かつ、２段目，３段目を左右中央に配置するようにして、１段目の上に２段目を積み重ね、２段目の上に３段目を積み重ねると、図６および図５に示すひな段状をした商品陳列台が形成される。この商品陳列台では、各段において、外側に傾斜側面(22)が配置され、また落下防止用の凹溝(21)が傾斜側面(22)に沿って外周部分に連続して配設される。
【００３４】
このようにして形成された商品陳列台には、図５に示すように、各段の商品陳列面(19)上に商品(15)を載せて陳列することができる。この場合、商品(15)がリンゴや梨等のように球形のものでは、最前列の商品(15)を、凹溝(21)に一部を落とし込ませて配置することにより、商品(15)が移動しずらくなり、商品(15)の転落を防ぐことができる。
【００３５】
図８は、このようにしてひな段状の商品陳列台を形成した商品陳列補助具(16)の他の実施例を示すもので、図９はその組み合わせ手順を示す。図８に示す商品陳列台は、３段形にしたもので、図９に示すように、１段目には、２個の正方形ブロック(17a)(17a)の間に、２個の正方形ブロック(17b)(17b)を配置し、かつ、正方形ブロック(17a)と(17a)の各後側にそれぞれ長方形ブロック(18b)を並べている。２段目には、２個の正方形ブロック(17a)(17a)の間に、１個の正方形ブロック(17b)を配置している。３段目には、長方形ブロック(18c)と(18d)を突き合わせて並べている。
【００３６】
そして、各段の後部を互いに揃え、かつ、２段目，３段目を左右中央に配置するようにして、１段目の上に２段目を積み重ね、２段目の上に３段目を積み重ねると、図８および図５に示すひな段状をした商品陳列台が形成される。この商品陳列台では、各段において、外側に傾斜側面(22)が配置され、また落下防止用の凹溝(21)が、傾斜側面(22)に沿って外周部分に連続して形成される。
【００３７】
このようにして形成された商品陳列台では、各段の商品陳列面(19)上に商品を載せて陳列することができる。この場合、商品がリンゴや梨等のように球形のものでは、最前列の商品を凹溝(21)に一部を落とし込ませて配置することにより、商品が移動しずらくなり、商品の転落を防いだ状態で陳列ができる。
【００３８】
したがって、本実施形態の構造における商品陳列補助具(16)によれば、耐水性と耐候性に優れた弾性材であるポリオレフィン発泡体で形成しているので、室内・室外を問わず、また炎天下や厳寒の中、さらに雨天の中等、あらゆる環境の中で使用することが可能になる。
また、商品は、弾性を有する商品陳列面で支えられるので、商品を傷めずに陳列することができる。
さらに、正方形ブロック(17a)(17b)と長方形ブロック(18a)〜(18d)とを適宜組み合わせて、色々な形状のひな段状をした商品陳列台を形成することができるので、陳列する商品に応じて商品陳列台を変えることができる。これにより、顧客にボリューム感を与え、また商品を容易に見得るようにして配列することができる。これにより、陳列効果が向上し、購買意欲を高めることができる。また、各段の角部も含めて弾性材となっているので、商品が各段の角部に当たって傷が付くのを保護することができる。
【００３９】
なお、本実施形態では、正方形ブロック(17a)(17b)と長方形ブロック(18a)〜(18d)の全てをポリオレフィン発泡体で成形してなる構造を示したが、例えば内部に芯材を配置し、その外側表面だけをポリオレフィン発泡体で被覆したり、あるいは各段の角部となる部分だけをポリオレフィン発泡体で形成するようにしてもよい。
【図面の簡単な説明】
【００４０】
【図１】本発明の商品陳列用補助具を使用する商品陳列台の外観斜視図である。
【図２】陳列板を水平に倒した状態で示す同上商品陳列台の側面図である。
【図３】陳列板を傾斜させた使用状態で示す同上商品陳列台の側面図である。
【図４】本発明の一実施形態である商品陳列用補助具を示す斜視図である。
【図５】本発明の一実施形態である商品陳列用補助具の使用状態を示す側面図である。
【図６】同上実施形態の第１使用例を示す斜視図である。
【図７】同上実施形態の第１使用例の組み合わせ手順を示す斜視図である。
【図８】同上実施形態の第２使用例を示す斜視図である。
【図９】同上実施形態の第２使用例の組み合わせ手順を示す斜視図である。
【符号の説明】
【００４１】
(１)台枠
(２)前板
(３)陳列板
(４)蝶番
(５)支持杆
(６)枢軸
(７)遊端部
(８)係合溝
(16)商品陳列補助具
(17a)(17b)正方形ブロック
(18a)〜(18d)長方形ブロック
(19)商品陳列面
(20)裏面
(21)凹溝
(22)側面
【図１】
0004846343.tif 000002
【図２】
0004846343.tif 000003
【図３】
0004846343.tif 000004
【図４】
0004846343.tif 000005
【図５】
0004846343.tif 000006
【図６】
0004846343.tif 000007
【図７】
0004846343.tif 000008
【図８】
0004846343.tif 000009
【図９】
0004846343.tif 000010